(57)【要約】【課題】背もたれ部が倒れた状態において、ヘッドレストなどの支持具が不本意に動くことを防ぐことができる支持具制御装置を提供する。【解決手段】ヘッドレスト制御装置１０は、ヘッドレスト６と、このヘッドレスト６に取り付けられたヘッドレスト軸部１１と、ヘッドレスト６の回転軸Ｘである軸部材２２と、背もたれ部に取り付けられた軸支持部２３と、ヘッドレスト６を規制状態または許容状態に変化させる変化機構と、ベッド形態において、変化機構による規制状態から許容状態への変化を規制する規制部材２４とを有している。【選択図】図８
2019217186.tif 000002
【特許請求の範囲】
【請求項１】
背もたれ部の周囲に着脱可能に備えられ、当該背もたれ部に対する位置が回転軸を軸として当該背もたれ部の背面側に向けて変化する支持具と、
前記回転軸において軸方向の一方側に配置された前記支持具の位置が変化することを規制する規制状態、または、前記回転軸において軸方向の他方側に配置された前記支持具の位置が変化することを許容する許容状態に変化させる変化機構と、
前記回転軸に通され、前記背もたれ部が倒れた状態において、前記変化機構による前記許容状態への変化を規制する規制部材と、を有する、
ことを特徴とする支持具制御装置。
【請求項２】
前記支持具が、前記回転軸上にある支持具軸部を有し、
前記規制部材が、前記背もたれ部が倒れた状態において、前記支持具軸部における他方側の端部に対面する規制突部を有する、
ことを特徴とする請求項１に記載された支持具制御装置。
【請求項３】
前記規制部材が、前記回転軸と直交する方向に向けて張り出した重心部を有し、この重心部が前記回転軸よりも下方に配置された、
ことを特徴とする請求項１または請求項２に記載された支持具制御装置。
【請求項４】
前記支持具軸部における他方側の端部に、軸方向に向けて段部が形成され、
前記規制突部が、前記回転軸と直交する方向に向けて張り出している、
ことを特徴とする請求項２、または、請求項２に従属する請求項３に記載された支持具制御装置。
【請求項５】
前記段部が、第一段部、および、この第一段部よりも軸方向に向けて突出した第二段部であり、
前記背もたれ部が起きた状態および前記背もたれ部が倒れた状態において、前記規制部材の向きが同じであり、
前記背もたれ部が起きた状態では、前記第一段部が、前記規制突部と対面し、
前記背もたれ部が倒れた状態では、前記第二段部が、前記規制突部と対面する、
ことを特徴とする請求項４に記載された支持具制御装置。
【請求項６】
前記背もたれ部が、前記回転軸上にある軸支持部を有し、
前記支持具軸部における一方側の端部に、前記段部の段差に相当する長さの係止突部が形成され、
前記許容状態では、前記係止突部が、前記軸支持部から離れ、
前記規制状態では、前記係止突部が、前記軸支持部に係止する、
ことを特徴とする請求項４または請求項５に記載された支持具制御装置。
【請求項７】
背もたれ部の周囲に着脱可能に備えられ、当該背もたれ部に対する位置が回転軸を軸として当該背もたれ部の背面側に向けて変化する支持具と、
前記背もたれ部の周囲に支持軸を介して備えられ、この支持軸において軸方向の一方側に配置されたときに前記支持具の位置が変化することを規制する規制状態、または、前記支持軸において軸方向の他方側に配置されたときに前記支持具の位置が変化することを許容する許容状態に変化させる操作部と、
前記支持軸に通され、前記背もたれ部が倒れた状態において、前記変操作部による前記許容状態への変化を規制する規制部材と、を有する、
ことを特徴とする支持具制御装置。
【請求項８】
請求項１から請求項７のいずれか１項に記載された支持具制御装置が備えられ、前記支持具がヘッドレストである、
ことを特徴とする施術台。
【発明の詳細な説明】
【技術分野】
【０００１】
本発明は、理美容施設や医療施設などの施術台に備えられる支持具制御装置、および、支持具制御装置が備えられた施術台に関するものである。
【背景技術】
【０００２】
従来、理美容施設や医療施設などの施術台は、イス形態またはベッド形態に変形するものがあり、施術に応じて、背もたれに、例えば、ヘッドレスト、点滴用のボトルやパックを支持する医療道具、理容用具や医療機器が載置されるトレーなどの支持具が着脱可能なものもある。
【０００３】
背もたれに着脱されるヘッドレストは、例えば、下記特許文献１に記載された椅子のように、背もたれに対して角度が変化する。
【０００４】
しかし、例えば、理美容施設におけるヘアカットなどの施術時においては、ヘッドレストが施術の妨げになるため、イス形態では、ヘッドレストが着脱されるか、または、ヘッドレストが背もたれの背面側まで倒れる施術台も存在する。すなわち、この施術台は、イス形態では、施術の妨げとならない位置にヘッドレストが配置され、ベッド形態では、被施術者の頭部を支持できる位置にヘッドレストが配置される。ヘッドレストは、用途に応じて施術者などによって操作される。
【先行技術文献】
【特許文献】
【０００５】
【特許文献１】特開２００５−１２４７９８号公報
【発明の概要】
【発明が解決しようとする課題】
【０００６】
しかし、ベッド形態において、仮に、施術者が誤ってヘッドレストを操作した場合や、何らかの外力が加わって不本意に操作された場合、ヘッドレストが背もたれに対して下がると共に、被施術者の頭部も不意に下がり、危険な場合がある。
【０００７】
例えば、背もたれとヘッドレストとが回転軸を介して連結された施術台であって、軸方向にヘッドレストを移動させることで、ヘッドレストを倒すことができる状態、または、ヘッドレストを倒すことができない状態に変化するような構造であった場合、ヘッドレストが不本意に軸方向にずれる可能性がある。このような現象は、ヘッドレストに限らず、医療道具やトレーにおいても起こる可能性がある。
【０００８】
本発明は、上記の実情に鑑みて提案されたものである。すなわち、背もたれ部が倒れた状態において、支持具が不本意に動くことを防ぐことができる支持具制御装置および施術台の提供を目的とする。
【課題を解決するための手段】
【０００９】
上記目的を達成するために、本発明に係る支持具制御装置は、背もたれ部の周囲に着脱可能に備えられ、当該背もたれ部に対する位置が回転軸を軸として当該背もたれ部の背面側に向けて変化する支持具と、前記回転軸において軸方向の一方側に配置された前記支持具の位置が変化することを規制する規制状態、または、前記回転軸において軸方向の他方側に配置された前記支持具の位置が変化することを許容する許容状態に変化させる変化機構と、前記回転軸に通され、前記背もたれ部が倒れた状態において、前記変化機構による前記許容状態への変化を規制する規制部材と、を有する、ことを特徴とする。
【００１０】
本発明に係る支持具制御装置は、前記支持具が、前記回転軸上にある支持具軸部を有し、前記規制部材が、前記背もたれ部が倒れた状態において、前記支持具軸部における他方側の端部に対面する規制突部を有する、ことを特徴とする。
【００１１】
本発明に係る支持具制御装置は、前記規制部材が、前記回転軸と直交する方向に向けて張り出した重心部を有し、この重心部が前記回転軸よりも下方に配置された、ことを特徴とする。
【００１２】
本発明に係る支持具制御装置は、前記支持具軸部における他方側の端部に、軸方向に向けて段部が形成され、前記規制突部が、前記回転軸と直交する方向に向けて張り出している、ことを特徴とする。
【００１３】
本発明に係る支持具制御装置は、前記段部が、第一段部、および、この第一段部よりも軸方向に向けて突出した第二段部であり、前記背もたれ部が起きた状態および前記背もたれ部が倒れた状態において、前記規制部材の向きが同じであり、前記背もたれ部が起きた状態では、前記第一段部が、前記規制突部と対面し、前記背もたれ部が倒れた状態では、前記第二段部が、前記規制突部と対面する、ことを特徴とする。
【００１４】
本発明に係る支持具制御装置は、前記背もたれ部が、前記回転軸上にある軸支持部を有し、前記支持具軸部における一方側の端部に、前記段部の段差に相当する長さの係止突部が形成され、前記許容状態では、前記係止突部が、前記軸支持部から離れ、前記規制状態では、前記係止突部が、前記軸支持部に係止する、ことを特徴とする。
【００１５】
本発明に係る支持具制御装置は、背もたれ部の周囲に着脱可能に備えられ、当該背もたれ部に対する位置が回転軸を軸として当該背もたれ部の背面側に向けて変化する支持具と、前記背もたれ部の周囲に支持軸を介して備えられ、この支持軸において軸方向の一方側に配置されたときに前記支持具の位置が変化することを規制する規制状態、または、前記支持軸において軸方向の他方側に配置されたときに前記支持具の位置が変化することを許容する許容状態に変化させる操作部と、前記支持軸に通され、前記背もたれ部が倒れた状態において、前記変操作部による前記許容状態への変化を規制する規制部材と、を有する、ことを特徴とする。
【００１６】
本発明に係る施術台は、上記した支持具制御装置が備えられ、前記支持具がヘッドレストである、ことを特徴とする。
【発明の効果】
【００１７】
本発明に係る支持具制御装置は、背もたれ部の周囲に着脱可能に備えられ、背もたれ部に対する位置が回転軸を軸として当該背もたれ部の背面側に向けて変化する支持具と、回転軸において軸方向の一方側に配置された支持具の位置が変化することを規制する規制状態、または、回転軸において軸方向の他方側に配置された支持具の位置が変化することを許容する許容状態に変化させる変化機構と、回転軸に通され、背もたれ部が倒れた状態において、変化機構による許容状態への変化を規制する規制部材と、を有している。すなわち、支持具は、回転軸を一方側または他方側に移動することで、規制状態または許容状態に変化するところ、背もたれ部が倒れた状態においては、支持具は、他方側への移動が規制部材に遮られることで、規制状態から許容状態への変化が規制される。したがって、背もたれ部が倒れた状態において、支持具が不本意に動くことを防ぐことができる。
【００１８】
本発明に係る支持具制御装置は、支持具が、回転軸上にある支持具軸部を有し、規制部材が、背もたれ部が倒れた状態において、支持具軸部における他方側の端部に対面する規制突部を有している。すなわち、背もたれ部が倒れた状態において、支持具軸部が規制突部に対面することで、支持具は、他方側への移動が規制部材によって遮られる。したがって、背もたれ部が倒れた状態において、支持具が不本意に動くことを防ぐことができる。
【００１９】
本発明に係る支持具制御装置は、規制部材が、回転軸と直交する方向に向けて張り出した重心部を有し、この重心部が回転軸よりも下方に配置されている。この構成により、規制部材は、背もたれ部が起きた状態、倒れた状態にかかわらず、回転軸を軸として、背もたれ部に対する向きが自重で変化し、重心部が常に回転軸の下方に配置される。したがって、駆動機構によらずに、規制状態から許容状態への変化を、規制部材によって規制することができる。
【００２０】
本発明に係る支持具制御装置は、支持具軸部における他方側の端部に、軸方向に向けて段部が形成され、規制突部が、回転軸と直交する方向に向けて張り出している。この構成により、背もたれ部が倒れた状態において、段部が規制突部に対面することで、支持具は、他方側への移動が規制部材によって遮られる。したがって、背もたれ部が倒れた状態において、支持具が不本意に動くことを防ぐことができる。
【００２１】
本発明に係る支持具制御装置は、段部が、第一段部、および、この第一段部よりも軸方向に向けて突出した第二段部であり、背もたれ部が起きた状態および背もたれ部が倒れた状態において、規制部材の向きが同じであり、背もたれ部が起きた状態では、第一段部が、規制突部と対面し、背もたれ部が倒れた状態では、第二段部が、規制突部と対面している。すなわち、第二段部が規制突部と対面することで、支持具は、他方側への移動が規制部材によって遮られる。一方、第一段部が規制突部と対面すると、第一段部と規制突部との間は、第一段部と第二段部との段差に相当する分の隙間が空くため、このすき間の分、支持具は、他方側への移動が許容される。したがって、背もたれ部が倒れた状態では、許容状態への変化が規制され、規制状態が維持されて支持具が不本意に動くことを防ぐことができる。一方、背もたれ部が起きた状態では、規制状態から許容状態に変化させることができ、許容状態において支持具を自在に動かすことができる。
【００２２】
本発明に係る支持具制御装置は、背もたれ部が、回転軸上にある軸支持部を有し、支持具軸部における一方側の端部に、段部の段差に相当する長さの係止突部が形成され、許容状態では、係止突部が、軸支持部から離れ、規制状態では、係止突部が、軸支持部に係止する。すなわち、係止突部が軸支持部に係止することで、規制状態が実現し、係止突部が軸支持部から離れることで、許容状態が実現する。したがって、背もたれ部が倒れた状態、または、背もたれ部が起きた状態における規制状態では、支持具が倒れることを防ぐことができ、一方、背もたれ部が起きた状態における許容状態では、支持具を自在に倒し、または起こすことができる。
【００２３】
本発明に係る支持具制御装置は、背もたれ部の周囲に着脱可能に備えられ、背もたれ部に対する位置が回転軸を軸として背もたれ部の背面側に向けて変化する支持具と、背もたれ部の周囲に支持軸を介して備えられ、この支持軸において軸方向の一方側に配置されたときに支持具の位置が変化することを規制する規制状態、または、支持軸において軸方向の他方側に配置されたときに支持具の位置が変化することを許容する許容状態に変化させる操作部と、支持軸に通され、背もたれ部が倒れた状態において、変操作部による許容状態への変化を規制する規制部材と、を有している。すなわち、背もたれ部は、支持具と操作部とを有し、支持具は、操作部が支持軸が一方側または他方側に移動することで、規制状態または許容状態に変化するところ、背もたれ部が倒れた状態においては、操作部は、他方側への移動が規制部材に遮られることで、規制状態から許容状態への変化が規制される。したがって、背もたれ部が倒れた状態において、支持具が不本意に動くことを防ぐことができる。
【００２４】
本発明に係る施術台は、上記した支持具制御装置と同じ効果を生じさせることができる。
【図面の簡単な説明】
【００２５】
【図１】図１は、本発明の実施形態に係るヘッドレスト制御装置が備えられた施術台であって、イス形態における外観が示され、（ａ）は上方から視した平面図、（ｂ）は後方から視した背面斜視図、（ｃ）は前方から視した正面図、（ｄ）は一方の側方から視した左側面図、（ｅ）は後方から視した背面図、（ｆ）は他方の側方から視した右側面図である。
【図２】図２は、本発明の実施形態に係るヘッドレスト制御装置が備えられた施術台であって、イス形態においてヘッドレストが倒れた状態の外観が示され、（ａ）は平面図、（ｂ）は背面斜視図、（ｃ）は正面図、（ｄ）は左側面図、（ｅ）は背面図、（ｆ）は右側面図である。
【図３】図３は、本発明の実施形態に係るヘッドレスト制御装置が備えられた施術台であって、ベッド形態における外観が示され、（ａ）は平面図、（ｂ）は背面斜視図、（ｃ）は正面図、（ｄ）は左側面図、（ｅ）は背面図、（ｆ）は右側面図である。
【図４】図４は、本発明の実施形態に係るヘッドレスト制御装置であって、背もたれ部が起きている場合の外観が示され、（ａ）は規制状態の外観斜視図および要部拡大図、（ｂ）は許容状態の外観斜視図および要部拡大図である。
【図５】図５は、本発明の実施形態に係る規制状態のヘッドレスト制御装置が示され、（ａ）は背面図、（ｂ）は右側断面であって（ａ）のＶ−Ｉ断面図、（ｃ）は右側面図、（ｄ）は背面部分断面であって（ｃ）のＶ−ＩＩ断面図である。
【図６】図６は、本発明の実施形態に係る許容状態のヘッドレスト制御装置が示され、（ａ）は背面図、（ｂ）は右側断面であって（ａ）のＶＩ−Ｉ断面図、（ｃ）は右側面図、（ｄ）は背面部分断面であって（ｃ）のＶＩ−ＩＩ断面図である。
【図７】図７は、本発明の実施形態に係るヘッドレスト制御装置であって、背もたれ部が倒れている場合の外観斜視図および要部拡大図である。
【図８】図８は、本発明の実施形態に係るヘッドレスト制御装置であって、背もたれ部が倒れている状態が示され、（ａ）は背面図、（ｂ）は右側断面であって（ａ）のＶＩＩＩ−Ｉ断面図、（ｃ）は右側面図である。
【発明を実施するための形態】
【００２６】
以下に、本発明である支持具制御装置の実施形態に係るヘッドレスト制御装置および施術台を図面に基づいて説明する。本実施形態では、支持具としてヘッドレストが採用されているが、支持具は、例えば、点滴用のボトルやパックを支持する医療道具、理容用具や医療機器が載置されるトレーなどであってもよい。
【００２７】
図１から図３は、ヘッドレスト制御装置１０が備えられた施術台１が示され、図１は、背もたれ部５が起きた形態（以下、「イス形態」と記す。）の外観が示され、図２は、イス形態において、ヘッドレスト６が倒れた状態の外観が示され、図３は、背もたれ部５が倒れた形態（以下、「ベッド形態」と記す。）の外観が示されている。なお、以下では、図１（ｂ）に示されているとおり、施術台１の正面が前方、背面が後方、側方のうちの一方側が左方、他方側が右方、重力が作用する方向が下方、重力に反する方向が上方である。
【００２８】
図１から３に示されているとおり、施術台１は、設置面に設置される基台部２と、この基台部２に取り付けられた本体部３とから構成されている。基台部２は、例えば、本体部３を変形させるための駆動部（図示省略）や制御部（図示省略）などが内蔵されている。駆動部は、本体部３をイス形態またはベッド形態に変形させるものである。制御部は、イス形態およびベッド形態が記録され、操作による入力に応じて駆動部を制御するものである。
【００２９】
本体部３は、座部４と、この座部４の後端に配置された背もたれ部５と、ヘッドレスト制御装置１０として背もたれ部５の周囲である上端に連結されて着脱可能であるヘッドレスト６と、座部４の前端に配置されたレッグレスト７と、座部４の両側に配置されたひじ掛け部８とを有している。イス形態における本体部３は、背もたれ部５が座部４に対して前方に起き、レッグレスト７が座部４に対して後方に倒れている（図１参照。）。一方、ベッド形態における本体部３は、座部４およびひじ掛け部８が基台部２に対して上昇し、背もたれ部５およびレッグレスト７が座部４に対してほぼ水平に同一平面上に配置されている（図３参照。）。
【００３０】
ヘッドレスト６は、施術者などにより操作されることによって、背もたれ部５に対する位置が回転軸Ｘを軸として、背もたれ部５の背面側に向けて回転し、被施術者がヘッドレスト６を使用することができる位置である使用位置、または、被施術者がヘッドレスト６を使用しない位置である不使用位置に、位置が変化する。すなわち、使用位置は、ヘッドレスト６が背もたれ部５に対して起きて背もたれ部５とほぼ同一平面上に配置された位置であり（図１および図３参照。）、不使用位置は、ヘッドレスト６が背もたれ部５に対して後方に倒れて背もたれ部５の背面と対面した位置である（図２参照。）。
【００３１】
ヘッドレスト６は、ヘッドレスト制御装置１０によって、イス形態においては使用位置または不使用位置に位置が変化するが、ベッド形態においては不使用位置で停止し、不使用位置から使用位置に位置が変化しない。換言すれば、イス形態では、ヘッドレスト６の位置が変化する変化状態が実現し、ベッド形態では、ヘッドレスト６の位置が変化しない否変化状態が実現する。
【００３２】
ここで、ヘッドレスト制御装置１０を図面に基づいて説明する。図４から図８は、ヘッドレスト制御装置１０の外観、断面および動作状態が示されている。図４、図５および図６は、イス形態におけるヘッドレスト６の外観および断面が示され、図７および図８は、ベッド形態におけるヘッドレスト６の外観および断面が示されている。
【００３３】
図４に示されているとおり、ヘッドレスト６は、外力が加えられることで回転軸Ｘ上を軸方向に移動する構成であり、ヘッドレスト６が軸方向の左方側に配置された場合、回転することが規制された規制状態となり（図４（ａ）参照。）、軸方向の右方側に配置された場合、回転することが許容された許容状態となる（図４（ｂ）参照。）。
【００３４】
図４、図５および図６に示されているとおり、ヘッドレスト制御装置１０は、ヘッドレスト６と、このヘッドレスト６に取り付けられた支持具軸部としてのヘッドレスト軸部１１と、ヘッドレスト６の回転軸Ｘである軸部材２２と、背もたれ部５に取り付けられた軸支持部２３と、ヘッドレスト６を規制状態または許容状態に変化させる変化機構と、ベッド形態において、変化機構による規制状態から許容状態への変化を規制する規制部材２４とを有している。換言すれば、ヘッドレスト制御装置１０は、規制部材２４によって、イス形態では変化状態が実現し、ベッド形態では否変化形態が実現する。
【００３５】
ヘッドレスト軸部１１は、筒状であり、連結板材１２を介してヘッドレスト６に取り付けられている。連結板材１２は、二枚の平板が鈍角に連接された部材であり、片方の第一平板１３がヘッドレスト６の背面に取り付けられ、もう片方の第二平板１４の先端がヘッドレスト軸部１１の外周面に連接されている。ヘッドレスト軸部１１は、右方側の端部に、軸方向に向けた段差である段部１５が形成されている。段部１５は、第一段部１６、および、この第一段部１６よりも軸方向に向けて突出した第二段部１７を有し、また、第一段部１６と第二段部１７との段差である段差面部１８を有している。ヘッドレスト軸部１１は、左方側の端部に、第一段部１６と第二段部１７との段差に相当する長さの係止突部１９が形成されている。ヘッドレスト軸部１１は、左右を貫通する軸孔２０を有し、右方端側の内部に、軸孔２０よりも直径が大きな中空部２１を有している。
【００３６】
規制部材２４は、平板状であり、軸部材２２が通される孔部２５と、回転軸Ｘと直交する方向であって上方に向けて張り出した規制突部２６と、回転軸Ｘと直交する方向であって下方に向けて張り出した重心部２７とを有している。規制突部２６と重心部２７とは、孔部２５を介して反対側に配置され、重心部２７は規制部材２４の重心である。すなわち、規制部材２４は、常に重心部２７が下側であり、規制突部２６が上側である。
【００３７】
軸部材２２は、円柱の長手の棒状である。軸支持部２３は、長手の平板である支持板２８の両端に支持片２９が直角に連接された部材であり、支持片２９に孔が形成されている。
【００３８】
ヘッドレスト軸部１１は、中空部２１にコイルバネ３０が収容され、軸部材２２が、ヘッドレスト軸部１１の軸孔２０およびコイルバネ３０に通されている。規制部材２４は、ヘッドレスト軸部１１の外側において、軸部材２２の右方側に通されている。この状態で、軸部材２２の両端が、軸支持部２３の支持片２９に通されている。規制部材２４は、常に重心部２７が回転軸Ｘよりも下方に配置されている。軸部材２２、ヘッドレスト軸部１１、コイルバネ３０、軸支持部２３および規制部材２４が回転軸Ｘ上に配置されてヘッドレスト制御装置１０が構成され、軸部材２２、ヘッドレスト軸部１１、コイルバネ３０および軸支持部２３によって、変化機構が実現する。
【００３９】
次に、ヘッドレスト制御装置１０の動作を図面に基づいて説明する。
【００４０】
図１に示されているとおり、イス形態におけるヘッドレスト６が、使用位置に配置され、かつ、図４（ａ）および図５に示されているとおり、ヘッドレスト６が、軸方向の左方側に配置された規制状態では、ヘッドレスト軸部１１の係止突部１９が、軸支持部２３の支持片２９に係止している。規制部材２４は、重力の作用によって、規制突部２６が上側であり、ヘッドレスト軸部１１の第一段部１６が、規制突部２６と間を空けて対面している。ヘッドレスト軸部１１は、コイルバネ３０の弾性力によって、左方に向けて押されている。規制状態では、係止突部１９が、支持片２９に係止しているため、ヘッドレスト６は回転しない。この規制状態で、ヘッドレスト６に、左側から右側に向けた外力が加えられると、コイルバネ３０が外力によって圧縮してヘッドレスト６が右方にスライドし、図４（ｂ）および図６に示されているとおり、許容状態となる。
【００４１】
図１に示されているとおり、イス形態におけるヘッドレスト６が、使用位置に配置され、かつ、図４（ｂ）および図６に示されているとおり、ヘッドレスト６が、軸方向の右方側に配置された許容状態では、ヘッドレスト軸部１１の係止突部１９が、軸支持部２３の支持片２９から外れ、段部１５の段差に相当する分だけ支持片２９から離れている。ヘッドレスト軸部１１の第一段部１６は、規制突部２６と間を空けずに近接している。係止突部１９が支持片２９から外れていることで、ヘッドレスト６は、回転軸Ｘを軸として回転することが許容され、後方に倒れて不使用位置に配置される。ヘッドレスト６が回転軸Ｘを軸として回転する際、段差面部１８が、規制突部２６に当たり、規制突部２６は、段差面部１８に押されてヘッドレスト軸部１１と共に回転軸Ｘを軸として回転する。
【００４２】
一方で、図４（ａ）および図５に示されているとおり、イス形態におけるヘッドレスト６が使用位置に配置された規制状態において、施術台１が、イス形態からベッド形態に変化する際（図３参照。）、背もたれ部５が倒れるが、規制部材２４は向きが変化しない。すなわち、背もたれ部５が倒れると、規制部材２４は、回転軸Ｘに対して相対的に自重で回転するが、重力によって、常に重心部２７が回転軸Ｘよりも下方に配置されるため、図４および図７に示されているとおり、規制部材２４の向きは、イス形態とベッド形態とで同じである。
【００４３】
図７および図８に示されているとおり、ベッド形態におけるヘッドレスト６は、常に規制状態であり、ヘッドレスト軸部１１の係止突部１９が軸支持部２３の支持片２９に係止している。ヘッドレスト軸部１１の第二段部１７は、規制突部２６と間を空けずに近接して対面している。この状態で、ヘッドレスト６に、左側から右側に向けた外力が加えられたとしても、第二段部１７が規制突部２６に当たることでスライドすることが遮られ、ヘッドレスト６は右方にスライドしない。したがって、ヘッドレスト６は許容状態に変化せず、不使用位置に配置されない。
【００４４】
以上のとおり、施術台１およびヘッドレスト制御装置１０が構成されている。次に、施術台１およびヘッドレスト制御装置１０の効果を説明する。
【００４５】
上記したとおり、ヘッドレスト制御装置１０は、ヘッドレスト６と、このヘッドレスト６に取り付けられたヘッドレスト軸部１１と、ヘッドレスト６の回転軸Ｘである軸部材２２と、背もたれ部５に取り付けられた軸支持部２３と、ヘッドレスト６を規制状態または許容状態に変化させる変化機構（軸部材２２、ヘッドレスト軸部１１、コイルバネ３０および軸支持部２３）と、ベッド形態において、変化機構による規制状態から許容状態への変化を規制する規制部材２４とを有している（図４参照）。ヘッドレスト軸部１１は、右方側の端部に、第一段部１６、および、この第一段部１６よりも軸方向に向けて突出した第二段部１７を有している。規制部材２４は、ヘッドレスト軸部１１の軸部材２２が通され、回転軸Ｘと直交する方向であって上方に向けて張り出した規制突部２６と、回転軸Ｘと直交する方向であって下方に向けて張り出した重心部２７とを有している。
【００４６】
この構成により、ベッド形態では、第二段部１７が、規制突部２６と間を空けずに近接して対面している（図７および図８参照）。この状態で、ヘッドレスト６に、左側から右側に向けた外力が加えられたとしても、第二段部１７が規制突部２６に当たることでスライドすることが遮られ、ヘッドレスト６は右方にスライドしない。ベッド形態におけるヘッドレスト６は、ヘッドレスト軸部１１の係止突部１９が軸支持部２３の支持片２９に係止しているため、使用状態であり、また、規制突部２６によって常に規制状態であるため、ヘッドレスト６は許容状態に変化せず、不使用位置に配置されない。したがって、ベッド形態において、ヘッドレスト６が不本意に倒れることを防ぐことができる。
【００４７】
ヘッドレスト制御装置１０の規制部材２４は、背もたれ部５が倒れると、回転軸Ｘに対して相対的に自重で回転するが、重力によって、常に重心部２７が回転軸Ｘよりも下方に配置されるため、規制部材２４の向きは、イス形態とベッド形態とで同じである（図４および図７参照。）。したがって、例えば、アクチュエーターやモーターなどの駆動機構によらずに、規制状態から許容状態への変化を、規制部材２４によって規制することができる。
【００４８】
一方で、イス形態では、ヘッドレスト軸部１１の第一段部１６が、規制突部２６と間を空けて対面し、ヘッドレスト軸部１１が、コイルバネ３０の弾性力によって、左方に向けて押されている（図４（ａ）および図５参照。）。この状態で、ヘッドレスト６に、左側から右側に向けた外力が加えられると、コイルバネ３０が外力によって圧縮してヘッドレスト６が右方にスライドし、ヘッドレスト軸部１１の係止突部１９が、軸支持部２３の支持片２９から外れ、段部１５の段差に相当する分だけ支持片２９から離れる。ヘッドレスト６は、回転軸Ｘを軸として回転することが許容され、後方に倒れて不使用位置に配置される。ヘッドレスト６が回転軸Ｘを軸として回転する際、段差面部１８が、規制突部２６に当たり、規制突部２６は、段差面部１８に押されてヘッドレスト軸部１１と共に回転軸Ｘを軸として回転する。したがって、イス形態では、規制状態から許容状態に変化し、許容状態においてヘッドレスト６を倒すことができる。
【００４９】
施術台１は、ヘッドレスト制御装置１０が備えられているため、上記したヘッドレスト制御装置１０と同じ効果を生じさせることができる。
【００５０】
なお、本発明の他の実施形態では、支持具が、レバーやハンドルなどであってもよい。この場合、支持具と別に、この支持具によって変化状態または否変化状態に変化させる対象となる部材（ヘッドレスト、医療道具、トレー）が備えられている。支持具は、回転軸Ｘを軸として背もたれ部５の背面側に向けて回転するが、背もたれ部５の背面と対面するまで回転する構成のほか、背もたれ部５に対して下方に向けて倒れる構成であってもよい。
【００５１】
さらに他の実施形態では、ヘッドレスト６を操作するための操作部（図示省略）が備えられている。すなわち、背もたれ部５は、ヘッドレスト６とは別に、このヘッドレスト６を操作するための操作部を有している。操作部は、背もたれ部５の周囲である上端に支持軸（図示省略）を介して備えられ、この支持軸において軸方向の一方側に配置されたときにヘッドレスト６の位置が変化することを規制する規制状態、または、支持軸において軸方向の他方側に配置されたときにヘッドレスト６の位置が変化することを許容する許容状態に変化させる。操作部の構造は、回転せずにスライドする構成であることを除けば、上記した実施形態における軸部材２２、コイルバネ３０および軸支持部２３と同様であり、また、ヘッドレスト軸部１１の代わりに支持具軸部を有している。支持具軸部は、例えば、施術者などが把持できるレバーやハンドルなどである。規制部材２４は、支持軸に通され、背もたれ部５が倒れた状態において、操作部による許容状態への変化を規制する。規制部材２４は、上記した実施形態と同じである。操作部は、例えば、上記した実施形態における回転軸Ｘと本実施形態における支持軸とが同軸上に配置されることで、ヘッドレスト６と連結される。
【００５２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５３】
１    施術台
２    基台部
３    本体部
４    座部
５    背もたれ部
６    ヘッドレスト（支持具）
７    レッグレスト
８    ひじ掛け部
１０  ヘッドレスト制御装置（支持具制御装置）
１１  ヘッドレスト軸部（支持具軸部）
１２  連結板材
１３  第一平板
１４  第二平板
１５  段部
１６  第一段部
１７  第二段部
１８  段差面部
１９  係止突部
２０  軸孔
２１  中空部
２２  軸部材
２３  軸支持部
２４  規制部材
２５  孔部
２６  規制突部
２７  重心部
２８  支持板
２９  支持片
３０  コイルバネ
Ｘ    回転軸
【図１】
2019217186.tif 000003
【図２】
2019217186.tif 000004
【図３】
2019217186.tif 000005
【図４】
2019217186.tif 000006
【図５】
2019217186.tif 000007
【図６】
2019217186.tif 000008
【図７】
2019217186.tif 000009
【図８】
2019217186.tif 000010